(57)【要約】【課題】簡素な構成としながらも、着座者の背に好適に追従しうる背凭れを具備してなる椅子を提供する。【解決手段】本発明に係る椅子１は、脚パイプ２１を主体とする脚２と、この脚２の上端に固定される座３と、座３の下面側から座３の上方へ湾曲しつつ延出する複数の縦長部材４０からなる背凭れ４と、背凭れ４に着脱可能に取り付けられた背カバー５とを有するものである。背凭れ４は、本実施形態では、当該座３とは別体に構成され且つ前記座３に固定され前記座３の後端から幅方向に並び設けられた複数の縦長部材４０からなるものである。【選択図】図１
2018086190.tif 000002
【特許請求の範囲】
【請求項１】
座と、
前記座に固定され幅方向に並び設けられた互いに別体の複数の縦長部材からなる背凭れと、
を具備することを特徴とする椅子。
【請求項２】
前記複数の縦長の部材は同一形状である請求項１記載の椅子。
【請求項３】
前記複数の部材は、薄い木板を積層した成形材である請求項１又は２記載の椅子。
【請求項４】
前記複数の部材は、炭素繊維を含んでなる積層材からなる成形材である請求項１〜３の何れかに記載の椅子。
【請求項５】
前記複数の縦長の部材によって、三次元曲面を形成している請求項１〜４の何れかに記載の椅子。
【請求項６】
前記背凭れの上部が、前記複数の縦長の部材同士を連結した連結カバーにより連結されている請求項１〜５の何れかに記載の椅子。
【請求項７】
前記背凭れの上部が、前記複数の縦長の部材のそれぞれ上端を互いに別体をなす被覆カバーにより覆われている請求項１〜５の何れかに記載の椅子。
【発明の詳細な説明】
【技術分野】
【０００１】
本発明は、オフィス等において好適に利用される椅子に関するものである。
【背景技術】
【０００２】
従来、背凭れを具備する椅子において、着座者の姿勢変更に伴う背の動きにせもたれを忠実に追従させるべく、背凭れの幅方向に複数の縦長のスリットを形成している椅子が周知である（例えば、特許文献１〜３参照）。このように構成することで、特許文献１記載の椅子は、背凭れはスリットを設けない構成に比して局所的に適宜変形し易いものとし、着座者の背の形状に好適にフィットしつつ、着座者の背の動作に忠実に追従し得る椅子を提供することを目的としている。
【先行技術文献】
【特許文献】
【０００３】
【特許文献１】特表平１０−５０７０９１号公報
【特許文献２】特許第５６０３３２９号公報
【特許文献３】特許第５９０６２８９号公報
【発明の概要】
【発明が解決しようとする課題】
【０００４】
しかしながら、上記各特許文献に記載のものは、製造工程に際し、板状の背板材に対し縦方向にスリットを設ける工程を必須とされる。また当該スリットは、幅方向に複数設ける事を必要とされることから、複数のスリットの幅方向の間隔やスリットの形状を整然としたものとするためには自ずとスリット形成工程には高い精度を実現するための時間や労力を要してしまうこととなる。そしてスリット形成工程を導入するということは、そもそも背板となり得る背板材の一部を削り取ることとなるので、同じ素材の量を有する態様と比べて、より多くの材料たる背板材を要することとなり、結果として製造コストの上昇を招来してしまう。また、背凭れと座を一体の三次元形状とするためには、樹脂成形では金型複雑で大がかりなものとなり、成形合板ではそもそも三次元形状にすること自体困難であるため、いずれも製造工程の煩雑化並びにそれに起因するコスト増を招来することとなる。
【０００５】
本発明は、上記のような課題を解消することを目的としており、簡素な構成としながらも、着座者の背に好適に追従しうる背凭れを具備してなる椅子を提供する。
【課題を解決するための手段】
【０００６】
本発明は、かかる目的を達成するために、次のような手段を講じたものである。
【０００７】
すなわち、本発明に係る椅子は、座と、前記座に固定され幅方向に並び設けられた互いに別体の複数の縦長部材からなる背凭れと、を具備することを特徴とする。
【０００８】
このようなものであれば、背凭れを構成している複数の縦長部材は一本一本別々に作られたものを座に固定すればこれら複数の縦長部材からなる背凭れを容易に構成することができる。換言すれば、背凭れを構成する縦長部材は一本一本別々に作られ、作られた縦長部材を一つずつ座に取り付ければ背凭れを構成し得るので、一体の背板材にスリットを成形するよりも製造工程を簡略化することができ、その結果椅子全体としての製造コストを低減させることにも資する。
【０００９】
製造工程の簡素化を更に実現していくためには、複数の縦長の部材を、同一形状とすることが望ましい。これにより、部品の品種数の削減すなわち部品の共有化を向上させることにより、ひいては椅子全体としての製造コストの低減にも資するものとなる。
【００１０】
そして背凭れを構成する素材としては既存の種々の素材を適用することができるが、着座者の背に好適に追従させつつ適度な反力を提供し得る好適な素材として、複数の部材は、薄い木板を積層した成形材や、炭素繊維を含んでなる積層材からなる成形材とすることが好ましい。これらのようなものであれば、個々の縦長の部材が幅方向に細く構成されていても強度を確保易いものとなる。
【００１１】
また、背凭れの形状を着座者の背を好適に支持し易い形状をとするためには、複数の縦長の部材によって、三次元曲面を形成し背凭れを構成している態様とすることが望ましい。また勿論、当該記載は複数の縦長の部材を規則正しく整列配置する態様を否定するものではない。特に本発明によれば、縦長部材の配置を適宜工夫すれば簡易に種々の三次元形状をなす背凭れを容易に形成することができる。
【００１２】
そして、背凭れの強度を全体としてより向上させ得るものとするためには、背凭れの上部を、複数の縦長の部材同士を連結した連結カバーにより連結する構成とすることが望ましい。
【００１３】
また、着座者の着座感を好適に維持しつつ着座者の背の動きに好適に追従し得るものとするためには、背凭れの上部を、複数の縦長の部材のそれぞれ上端を互いに別体をなす被覆カバーにより覆われている構成とすることが好ましい。
【発明の効果】
【００１４】
本発明は、以上説明した構成であるから簡素な構成としながらも、着座者の背に好適に追従しうる背凭れを具備してなる椅子を提供することができる。
【図面の簡単な説明】
【００１５】
【図１】本発明の一実施形態に係る斜視図。
【図２】同正面図。
【図３】同右側面図。
【図４】同底面図。
【図５】同実施形態に係る他の斜視図。
【図６】同実施形態の変形例に係る斜視図。
【発明を実施するための形態】
【００１６】
以下、本発明の一実施形態を、図１〜図５を参照して説明する。
【００１７】
本実施形態に係る椅子１は、例えばオフィスやミーティングスペースにおいて好適に利用されるものである。この椅子１は、例えば同形状をなす椅子１同士を上下方向に隙間無く重ねて保持し得る、所謂スタッキング可能に構成されたものとしてもよい。当該椅子１は、脚パイプ２１を主体とする脚２と、この脚２の上端に固定される座３と、座３の下面側から座３の上方へ湾曲しつつ延出する複数の縦長部材４０からなる背凭れ４と、背凭れ４に着脱可能に取り付けられた背カバー５とを有するものである。
【００１８】
ここで本実施形態に係る椅子１は、背凭れ４が、座３とは別体に構成され且つ前記座３に固定され前記座３の後端から幅方向に並び設けられた複数の縦長部材４０からなるものとしている。以下、椅子１の各部の構成について説明する。
【００１９】
脚２は、例えばアーチ状に成形された金属製の丸パイプからなる脚パイプ２１と、前後にそれぞれ配された脚パイプ２１同士を例えば溶接により固定しつつ座３に固定する固定部材２２とを有している。本実施形態では一例として、前後に対をなすように正面視アーチ形状をなす脚パイプ２１を配した構成を開示したが勿論、左右に対をなすように側面視アーチ形状をなす脚パイプ２１を配した構成とし、固定部材２２が脚パイプ２１同士を前後に連結する態様としてもよい。
【００２０】
座３は、平面視概略矩形状をなす座板３０を主体としたものであり、この座板３０の上面において着座者を支持する座面３１と、座板３０の下面側において上記脚２を固定するための脚取付部３２と、座３の下面側において背凭れ４を固定するために形成した背取付部３３とを有している。
【００２１】
背凭れ４は上述の通り、本実施形態では、当該座３とは別体に構成され且つ前記座３に固定され前記座３の後端から幅方向に並び設けられた複数の縦長部材４０からなるものである。縦長部材４０は、基端側において座３の下面側にある背取付部３３に固定される固定部４１と、座３の後端から上方へ延びつつ座面３１よりも上側において湾曲している湾曲部４２と、上端において着座者の背を直接的に支持し得る背当て部４３とを有している。本実施形態では、これら複数の縦長部材４０を互いに同一形状とすることにより、椅子１を構成する部品の品種数の削減に貢献している。また上記複数の縦長部材４０が形成する湾曲部４２によって、これら複数の縦長部材４０は背凭れ４の前面側に湾曲形状をなす三次元曲面４ａを形成している。ここで、本実施形態では当該複数の縦長部材４０は座３における背取付部３３において図示しないビス止め等による固定がなされているが勿論、当該複数の縦長部材４０が座３に取り付けられる態様はビス止めに限られることは無く、例えば接着剤による止着による態様や、座３側の形状を加工することにより凹凸係合される形状、また座３側に設けたスリーブに固定部４１を差し込むといった固定態様等、既存の種々の態様を適用することができる。
【００２２】
また、本実施形態では、背凭れ４を構成する素材として、薄い木板を積層した成形材１００を用いている。具体的には背凭れ４を構成する素材として、炭素繊維を含んでなる積層材からなる成形材１００を用いている。当該成形材１００については一例として、少なくとも木質系芯材及び木質系表面材を有する積層一体構造の貼り合わせ積層材であって、木質系芯材と木質系表面材との間に、炭素繊維シートに炭素繊維強化樹脂を含浸硬化させてなる強化層を有するとともに、強化層と木質系表面材との間に、不透水性の浸透防止層を有した貼り合わせ積層材を挙げることができる。当該成形材１００たる貼り合わせ積層材の更なる具体的な態様としては、炭素繊維シートの具体的な態様や各素材を積層させる態様などは、種々の態様を適用することができる。
【００２３】
ここで、本実施形態では背カバー５の一例として、背凭れ４の上部が、前記複数の縦長の部材同士を連結する例えば布製の連結カバー５１を取り付けている。
【００２４】
連結カバー５１は、例えば帯状をなす布製のものであり、縦長部材４０の上部である背当て部４３同士を連結するように当該背当て部４３を被覆し得るものとしている。また本実施形態では布製の連結カバー５１を適用したが勿論、縦長部材４０の上部である背当て部４３同士を連結し得る材質であれば、例えば紐状、糸状をなす素材であっても良い。
【００２５】
当該連結カバー５１を取り付けることにより、着座者の動作に応じて各縦長部材４０が適宜連動しつつ、着座者の背を好適に支持し得るのみならず、背凭れ４全体としての強度を連結カバー５１によって向上している。
【００２６】
以上のように、本実施形態に係る椅子１は、背凭れ４を構成している複数の縦長部材４０は一本一本別々に作られたものを座３に固定すればこれら複数の縦長部材４０からなる背凭れ４を容易に構成している。換言すれば、背凭れ４を構成する縦長部材４０は一本一本別々に作られたものを一つずつ座３に取り付ければ背凭れ４を構成し得るので、一体の背板材にスリットを成形するよりも製造工程を簡略化することができ、その結果椅子１全体としての製造コストを有効に低減せしめている。
【００２７】
製造工程の簡素化を更に実現していくために本実施形態では、複数の縦長の部材を、少なくとも湾曲部４２並びに背当て部４３を同一形状としている。その結果、椅子１を構成する部品の品種数の削減すなわち部品の共有化を向上させ、ひいては椅子１全体としての製造コストの低減にも貢献している。
【００２８】
そして本実施形態では、背凭れ４を構成する素材としては既存の種々の素材を適用することができるところ、着座者の背に好適に追従させつつ適度な反力を提供し得る好適な素材として、上述した複数の部材は、複数の木板を積層した成形材１００、具体的には中間の少なくとも一つの層に炭素繊維を含んでなる積層材からなる成形材１００としている。その結果、個々の縦長の部材が幅方向に細く構成されていても強度を確保易いものとなっている。
【００２９】
また、背凭れ４の形状を着座者の背を好適に支持し易い形状をとするためには本実施形態では、複数の縦長の部材によって、三次元曲面４ａを形成し背凭れ４を構成している態様としている。特に本実施形態では、個々の縦長部材４０の配置を適宜工夫するのみで簡易に種々の三次元形状をなす背凭れ４を容易に実現している。
【００３０】
そして、背凭れ４の強度を全体としてより向上させ得るものとするために本実施形態では、背凭れ４の上部を覆う背カバー５の一例として、複数の縦長の部材同士を連結した連結カバー５１により連結する構成としている。
【００３１】
＜変形例＞
【００３２】
以下、本実施形態の変形例について図６に示して説明する。当該変形例において上記実施形態の構成要素に相当するものについては同じ符号を付すとともに、詳細な説明を省略するものとする。
【００３３】
上記実施形態では背凭れ４の上部が、上述した着座者の背の動作に好適に追従させることができ背凭れ４全体の強度を向上させ得る椅子１を開示したが、図６に示す椅子１では、複数の縦長部材４０のそれぞれ上端を互いに別体をなす図示にて想像線で示す背カバー５の他の一例たる個別カバー５２により覆われている態様を示している。当該個別カバー５２を取り付けることにより本変形例では、着座者の着座感を好適に維持しつつ着座者の背の動きに好適に追従し得る背凭れ４が実現されている。
【００３４】
以上、本発明の一実施形態について説明したが、各部の具体的な構成は、上述した実施形態のみに限定されるものではなく、本発明の趣旨を逸脱しない範囲で種々変形が可能である。
【００３５】
例えば上記実施形態では上下方向にスタッキング可能な態様の椅子を開示したが勿論、脚がキャスタに支持された脚羽根からなるものとし、脚羽根の中央から立設される脚支柱を中心に座が回転可能である所謂事務用回転椅子の構成を本発明に適用しても良い。
【００３６】
また、背や座を構成する素材の具体的な態様や、成形材の積層構造といった具体的な形状や仕様といったその他の詳細な構成も、本発明の趣旨を逸脱しない範囲で種々変形が可能である。
【符号の説明】
【００３７】
１・・・椅子
３・・・座
４・・・背凭れ
４ａ・・・三次元曲面
４０・・・縦長部材
５１・・・連結カバー
５２・・・被覆カバー
１００・・・成形材
【図１】
2018086190.tif 000003
【図２】
2018086190.tif 000004
【図３】
2018086190.tif 000005
【図４】
2018086190.tif 000006
【図５】
2018086190.tif 000007
【図６】
2018086190.tif 000008